(57)【特許請求の範囲】
【請求項１】
リール本体の両側の側板間でスプールを回転可能に支持し、一方の側板に配置したハンドルを回転してこのスプールに釣糸を巻回保持するとともに、釣糸繰り出し方向へのスプールの過回転を防止するべくスプールの回転に制動力を付与するバックラッシュ防止機構を他方の側板側に配置した魚釣用両軸受型リールにおいて、
前記他方の側板は、外周にリング状の部材が装着されかつ前記スプールのスプール軸を支える支持部と、この支持部から離隔する側方に向けて、このリング状の部材に隣接する支持部の周縁部から滑らかな球面状に膨出し、前記バックラッシュ防止機構の制動力を調節する調節操作部と、この調節操作部の内面に形成した複数の凹部に、前記支持部に設けられかつこれらの凹部に向けて付勢された球状部を係合することで、支持部に対する調節操作部の相対的な回動位置を保持するためのクリック機構とを有し、この調節操作部は、前記リング状の部材よりも側方で前記他方の側板の主外表面を形成し、最も側方に膨出した中心から支持部に向けて突出する軸部を中心として、前記支持部に対して回動可能であることを特徴とする魚釣用両軸受型リール。
【発明の詳細な説明】
【０００１】
【発明の属する技術分野】
本発明は、魚釣用両軸受型リールに係わり、特に、釣糸放出時（キャスティング時）における糸絡み現象（バックラッシュ現象）を防止するバックラッシュ防止機構を備えた魚釣用両軸受型リールに関する。
【０００２】
【従来の技術】
従来、魚釣用両軸受型リールは、仕掛け投擲時（キャスティング時）におけるスプールの過回転に起因して発生するバックラッシュ現象を防止するべく、バックラッシュ防止機構と呼ばれる制動装置を備えて成るものが一般的である。このようなバックラッシュ防止機構は、遠心力を利用した摩擦ブレーキ装置や、磁力を利用した磁気ブレーキ装置など、各種のものが知られている。
【０００３】
また、バックラッシュ防止機構は、通常、釣り人のレベルや仕掛け投擲の距離に合わせた制動力の調節を可能にする制動力調節部を備えている。この制動力調節部は、リール本体の外部に備え付けられたものが一般的であり、通常、ブレーキ力調節操作を行なうための操作部がリール本体の側板から突出されている。
【０００４】
【発明が解決しようとする課題】
しかしながら、このように、制動力調節部の操作部がリール本体の側板から突出されていると、リールを手の平で握り込んで握持保持した際に、手に違和感があり、長時間の使用で手が痛くなる場合がある。また、リールを握り込んだ際に操作部が邪魔にならないように、操作部の突出位置（設置位置）を限定しなければならない場合もある。この場合には、デザインの自由度もなくなってしまう。
【０００５】
また、制動力調節部の操作部がリール本体の側板から突出されていると、リールを握持した手が制動力調節部の操作部に触れることで誤操作してしまうことを防止するため、制動力調節部に強い節度を持たせる必要がある。そのため、操作部の操作力が重くなってしまう。特に、制動力調節部の操作部が小さい場合には、操作部を爪等で例えば回転操作した際に爪を痛めてしまったり、また、指先を操作部に強く押し付けて指先を痛めてしまうといった問題が生じる虞もあり、早急な改善が必要とされている。
【０００６】
本発明は前記事情に着目してなされたものであり、その目的とするところは、リール本体を握持保持した際に手に違和感がなく且つ制動力調節部の操作力が軽く誤操作の少ないバックラッシュ防止機構を備えた魚釣用両軸受型リールを提供することにある。
【０００７】
【課題を解決するための手段】
前記課題を解決するために、本発明の魚釣用両軸受型リールは、リール本体の両側の側板間でスプールを回転可能に支持し、一方の側板に配置したハンドルを回転してこのスプールに釣糸を巻回保持するとともに、釣糸繰り出し方向へのスプールの過回転を防止するべくスプールの回転に制動力を付与するバックラッシュ防止機構を他方の側板側に配置した魚釣用両軸受型リールにおいて、前記他方の側板は、外周にリング状の部材が装着されかつ前記スプールのスプール軸を支える支持部と、この支持部から離隔する側方に向けて、このリング状の部材に隣接する支持部の周縁部から滑らかな球面状に膨出し、前記バックラッシュ防止機構の制動力を調節する調節操作部と、この調節操作部の内面に形成した複数の凹部に、前記支持部に設けられかつこれらの凹部に向けて付勢された球状部を係合することで、支持部に対する調節操作部の相対的な回動位置を保持するためのクリック機構とを有し、この調節操作部は、前記リング状の部材よりも側方で前記他方の側板の主外表面を形成し、最も側方に膨出した中心から支持部に向けて突出する軸部を中心として、前記支持部に対して回動可能であることを特徴とする。
【００１１】
【発明の実施の形態】
以下、図面を参照しつつ本発明の一実施形態について説明する。
【００１２】
図１に示されるように、本実施形態に係る魚釣用両軸受型リール１は、釣糸が巻回されるスプール３と、スプール３を回転自在に支持するリール本体とからなる。リール本体は、スプール３の左右両側に位置するフレーム２ａ，２ｂと、各フレーム２ａ，２ｂの側部に取り付けられる左右の側板１ａ，１ｂとによって構成される。なお、リール本体には、図示しない釣竿のリール取付け部に着脱自在に取り付けられる竿取付け部９０（図４および図５参照）が設けられている。
【００１３】
また、側板１ａ，１ｂは、円形状（側方から見て丸型）に構成されており、例えばビス、螺合、嵌合等によってフレーム２ａ，２ｂに装着されている。なお、図１に示す側板１ｂのようにビス１９によって装着する場合には、そのビス１９を隠蔽するように、側板１ａ，１ｂの外周にリング状の部材３ａ，３ｂが装着される。
【００１４】
図中右側に位置する右側板１ｂは、スプール３を回転駆動させる巻取り駆動部３０を支持している。また、図中右側に位置する右フレーム２ｂは、軸受１０を介してスプール軸５の一端部を回転可能に支持している。更に、右フレーム２ｂと右側板１ｂとの間には一定の空間が形成されており、この空間内には、巻取り駆動部３０を構成する駆動力伝達系やドラグ系等の各種機構が収容されている。
一方、図中左側に位置する左側板１ａは、軸受１０を介してスプール軸５の他端部を回転可能に支持するとともに後述するバックラッシュ防止機構２０の一部を支持する内側の支持部４０と、支持部４０と対向し且つバックラッシュ防止機構２０の後述する制動力調節部の操作部を兼ねる外側の調節操作部４１とから成る。この場合、左側板１ａの外表面は、調節操作部４１の外表面と支持部４０の周縁部とによって形成されている。また、調節操作部４１は、側方に向けて球面状に滑らかに膨出するように側面視で円形（側面視丸型）を成して左側板１ａの主外表面を形成するとともに、リール本体と同心的に配置されている。また、支持部４０の周縁部の表面は、調節操作部４１の外表面と段差無く滑らかに繋がっている。
【００１５】
軸受１０，１０を介して回転可能に支持されるスプール軸５は、左右のフレーム２ａ，２ｂ間で延びている。右フレーム２ｂから突出するスプール軸５の端部には、スプール軸５の軸方向に沿って移動可能なピニオンギア６が取り付けられている。この場合、ピニオンギア６は、ピニオン軸１１に回転可能に支持されており、図示しない切換手段によって、スプール軸５と係合してスプール軸５と一体に回転する係合位置と、スプール軸５との係合状態が解除される非係合位置との間で移動される。具体的には、ピニオンギア６には、クラッチプレート１２が係合する円周溝が形成されている。クラッチプレート１２は、図示しない連結機構によってピニオン軸１１に沿って移動可能であり、図示しないクラッチ切換部材の操作によって駆動される。すなわち、クラッチ切換部材を押し下げ操作することによって、ピニオンギア６は、クラッチプレート１２を介して図１に示す位置から右側に移動され、スプール軸５との係合が外れる（クラッチＯＦＦ）。したがって、スプール３はフリー回転可能状態となる。
【００１６】
また、ピニオンギア６には駆動歯車７が噛合しており、駆動歯車７には巻取り駆動部３０を構成するハンドル軸８が取り付けられている。すなわち、ハンドル軸８は、ピニオンギア６と噛合する駆動歯車７を支持した状態で、支持側板１ｂに回転可能に支持されている。さらに、ハンドル軸８の外端部には、ハンドル軸８とともに巻き取り駆動部３０を構成するハンドル２２が取り付けられている。したがって、ハンドル２２を回転操作すると、駆動歯車７とピニオンギア６とを介して、スプール軸５が回転駆動され、それに伴ってスプール３が回転される。
【００１７】
また、ハンドル軸８の途中にはハンドル軸８の一方向のみの回転を許容する一方向クラッチ２３が設けられ、ハンドル軸８の内端部には駆動歯車７と係合する摩擦板２５（ドラグ機構）が設けられている。摩擦板２５は、ハンドル２２に併設されたドラグ操作部材２７が回転されることによって軸方向に押圧されて駆動歯車７と摩擦係合し、ドラグ作用を与える。
【００１８】
また、ハンドル軸８の内端にはギア２８が設けられている。このギア２８は、駆動歯車７に連結されてこれと一体に回転するとともに、スプール３の前方側に配されたレベルワインド機構１５のウォームシャフト３２を駆動する駆動ギア３３と噛合している。レベルワインド機構１５は、外周面にトラバース溝が形成され且つ端部に駆動ギア３３が取り付けられたウォームシャフト３２と、このウォームシャフト３２を収容する筒体１７と、前記トラバース溝と係合してウォームシャフト３２の回転により筒体１７に沿って左右に摺動する係合子１８とを有しており、係合子１８に形成された孔を介してスプール３に巻回された釣糸を案内する。したがって、ハンドル２２を回転操作すれば、スプール３の回転および係合子１８の左右の摺動により、スプール３には釣糸が均等に巻回される。
【００１９】
また、左フレーム２ａ側のスプール軸５の端部には、スプール３の過回転を制御することによって釣糸繰出時のバックラッシュを防止するバックラッシュ防止機構２０が設けられている。このバックラッシュ防止機構２０は、スプール３の回転に制動力を付与する制動部と、制動力を調整するための制動力調節部とから成る。
【００２０】
図２に拡大して示されるように、バックラッシュ防止機構２０の前記制動部は、一対の環状の磁石７４，７５と、これらの磁石７４，７５間に形成された環状空間に対して挿脱される環状の導電体８２とから成る（図３も参照）。具体的には、環状の磁石ホルダ７０が支持部４０に回転可能に保持されており、この磁石ホルダ７０の内周面に環状の外側磁石７５が固着されている。また、支持部４０には、磁石ホルダ７０と対向して位置するとともに軸受１０を保持する凸状保持部７３が形成されており、この凸状保持部７３の外周面には、外側磁石７５と対向するように位置された環状の内側磁石７４が固着されている。
【００２１】
また、導電体８２は、スプール軸５の外周に移動可能に取り付けられた移動体８０に固定されている。この場合、導電体８２は、磁石７４，７５間に形成された環状空間と対向し且つこの環状空間に対して挿脱され得るようにスプール軸５の軸方向に沿って延びている。また、スプール軸５の端部に固定されたリテーナ８５と移動体８０との間には圧縮バネ８３が設けられている。この圧縮バネ８３は、スプール軸５の外周面に巻回され、移動体８０をリテーナ８５から離間させるスプール３側方向に向けて常時付勢している。
【００２２】
一方、バックラッシュ防止機構２０の前記制動力調節部は、左側板１ａを形成する調節操作部４１を有している。調節操作部４１は、スプール軸５と略平行に支持部４０に向けて内側に突出する軸部６９をその中心に有しており、この軸部６９には歯車７１が固定的に取り付けられている。また、軸部６９と平行に対向して延在する磁石ホルダ７０の部位には内歯７０ａが形成されており、この内歯７０ａは歯車７１の外歯７１ａと噛み合っている。したがって、調節操作部４１を回転操作して歯車７１を回転させると、歯車７１と噛み合う磁石ホルダ７０が回転し、磁石ホルダ７０に固着された外側磁石７５が内側磁石７４に対して回転する。なお、調節操作部４１の外表面の周縁部近傍には、調節操作部４１を回転操作する手の指を当てることができる大きさの複数の凹部６５が形成されている。
【００２３】
また、バックラッシュ防止機構２０は、支持部４０に対する調節操作部４１の回転を許容しつつ支持部４０に対する調節操作部４１の相対的な回動位置（したがって、内側磁石７４に対する外側磁石７５の相対的な位置）を保持するためのクリック機構を備えている。このクリック機構は、調節操作部４１の内面に形成された複数の凹部６４と、これらの凹部６４と係脱可能に係合する球状部６６とを有している。凹部６４は調節操作部４１の周方向に沿って所定間隔で設けられている（図４および図５参照）。また、球状部６６は、支持部４０に形成された孔６７内に収容されており、孔６７内に配設されたコイルバネ６８により凹部６４と係合する方向に向けて常時付勢されている。
【００２４】
次に、上記構成のバックラッシュ防止機構２０の作用について説明する。
【００２５】
まず、ハンドル２２を操作してスプール３を回転させると、スプール軸５を介して移動体８０もスプール３と一体に回転する。この時、スプール３の回転に伴う遠心力の作用によって、例えば図示しないカラーが径方向外側に移動しつつ移動体８０に押圧力を作用させる。そして、スプール３の回転速度が所定の大きさに達して、移動体８０に対する前記カラーの押圧力が圧縮バネ８３の付勢力よりも大きくなると、移動体８０がスプール軸５に沿って左側板１ａ側に移動し始める。この移動によって、導電体８２が磁石７４，７５間に形成された環状空間（磁界）内に挿入されると、導電体８２を有する移動体８０は、導電体８２の挿入量（移動量）と回転速度とに応じた力を磁界から受ける。したがって、移動体８０と一体で回転するスプール３にもこの力に伴う制動力が作用する。つまり、スプール３にはその回転速度に応じた制動力が作用し、その結果、スプール３の過回転が防止され、バックラッシュ現象が抑止される。
【００２６】
また、バックラッシュ防止機構２０による制動力を調整する場合には、リールを握持している手の指を、調節操作部４１の外表面に形成された凹部６５に押し当てて引掛けた状態で、調節操作部４１を所望の制動力が得られる量だけ所定方向に回転させる。これにより、調節操作部４１に付設された歯車７１が回転して、歯車７１と噛み合う磁石ホルダ７０が回転し、磁石ホルダ７０に固着された外側磁石７５が内側磁石７４に対して回転する。その結果、対向する外側磁石７５の極性と内側磁石７４の極性との間に変化が生じて、磁石７４，７５間に形成された環状空間内の磁界の強さが変化し、制動力が所望の強さに調整される。
【００２７】
また、このように調節操作部４１を回転させると、支持部４０側に設けられた球状部６６が調節操作部４１の内面の凹部６４に繰り返し衝突し、クリック音が発生する。そして、調節操作部４１を所定量回転させた位置で球状部６６が対応する凹部６４と係合することにより、支持部４０に対する調節操作部４１の相対的な回動位置、すなわち、内側磁石７４に対する外側磁石７５の相対的な位置が保持される。
【００２８】
以上説明したように、本実施形態の魚釣用両軸受型リール１では、握持保持することが可能な左側板１ａの部位が、バックラッシュ防止機構２０の調節操作部４１を兼ねている。すなわち、調節操作部４１は、その外表面が左側板１ａの外表面と略面一であり、左側板１ａは、調節操作部４１を含めて、その外面から突出する部位がない滑らかな形状を成している。したがって、リール１を手の平で握り込んで握持保持した際に、手に違和感がなく、長時間の使用で手が疲れたり痛くなることを防ぐことができる。また、このように調節操作部４１がリール本体の左側板１ａの外表面の略全体（主外表面）を形成するため、リール１を把持保持した際に調節操作部４１を誤って操作してしまうことがなく、不意のブレーキ力変化によるトラブルを避けられる。
【００２９】
また、本実施形態では、第１に、左側板１ａの外表面の略全体（主外表面）が回転可能な調節操作部４１となっており、第２に、調節操作部４１を有する左側板１ａが側方視で円形を成し且つ調節操作部４１がリール本体と同心的に配置されており、第３に、前述した誤操作防止形状により制動力調節部に強い節度を持たせる必要がないため、バックラッシュ防止機構２０の調整操作がし易く、また、操作力量も軽くて済む。
【００３０】
また、本実施形態において、左側板１ａは、調節操作部４１も含めて、その全体がリール本体の側方に向けて球面状に滑らかに膨出しているため、手の平になじみ易く、リール１を確実に握り込むことが可能となる。そのため、細かいアクションを付け易くなる。
【００３１】
【発明の効果】
以上説明したように、本発明によれば、リール本体を握持保持した際に手に違和感がなく且つ制動力調節部の操作力が軽く誤操作の少ないバックラッシュ防止装置を備えた魚釣用両軸受型リールを提供することができる。
【図面の簡単な説明】
【図１】本発明の第１の実施形態に係る魚釣用両軸受型リールの断面図である。
【図２】図１の魚釣用両軸受型リールの要部を示す拡大断面図である。
【図３】図１の魚釣用両軸受型リールにおけるバックラッシュ防止機構の制動部の断面図である。
【図４】図１の魚釣用両軸受型リールにおけるバックラッシュ防止機構の制動力調節部の断面図である。
【図５】図１の魚釣用両軸受型リールの左側面図である。
【符号の説明】
１…魚釣用両軸受型リール
１ａ，１ｂ…側板
３…スプール
２０…バックラッシュ防止機構
４１…調節操作部
【図１】
0003955725.tif 000002
【図２】
0003955725.tif 000003
【図３】
0003955725.tif 000004
【図４】
0003955725.tif 000005
【図５】
0003955725.tif 000006